(57)【要約】【課題】粘着物や可動機構に頼ることなく着脱可能な静止構造のみで線状体への蛇の登攀を効果的に防止する蛇登攀防止装置を提供する。【解決手段】蛇登攀防止装置１を、支線３に着脱可能に固定されるネット取付具４と、このネット取付具４と離して支線３に着脱可能に固定され、支線３から上方へ立ち上がると共に垂線が水平に対して下方に傾斜する立設面１１ａを備えた勾配形成板５と、ネット取付具４と勾配形成板５とに固定されると共にこれらの間の支線３を覆うように架設されるネット６とを有して構成する。ネット６は、ネット取付具４および勾配形成板５に対して着脱自在に取り付けられると共に、該ネット６を構成する線材の適所に蛇の登攀を妨害する蛇登攀妨害突起１４を設ける。【選択図】        図２
2011062083.tif 000002
【特許請求の範囲】
【請求項１】
線状体に取り付けられて、蛇の登攀を防止する蛇登攀防止装置であって、
前記線状体に着脱可能に固定されるネット取付具と、
このネット取付具と離して前記線状体に着脱可能に固定され、前記線状体から上方へ立ち上がると共に垂線が水平に対して下方に傾斜する側面を備える勾配形成板と、
前記ネット取付具と前記勾配形成板とに固定されてこれらの間の線状体を覆うように架設されるネットとを有して構成され、
前記ネットは、前記ネット取付具および前記勾配形成板に対して着脱自在に取り付けられると共に、該ネットを構成する線材の適所に蛇の登攀を妨害する蛇登攀妨害突起を備える
ことを特徴とする蛇登攀防止装置。
【請求項２】
前記ネット取付具、及び、前記勾配形成板の前記線状体に取り付ける部分には、前記線状体の表面形状にあわせた嵌合溝が形成されていることを特徴とする請求項１記載の蛇登攀防止装置。
【請求項３】
前記勾配形成板には、風圧を軽減させる通孔が形成されている請求項１記載の蛇登攀防止装置。
【請求項４】
前記ネットは、前記線状体の表面に密着させないように前記ネット取付具と前記勾配形成板との間に架設されていることを特徴とする請求項１記載の蛇登攀防止装置。
【請求項５】
前記ネットは、線材の太さを０．５〜１ｍｍ、メッシュの大きさを３ｍｍ程度とし、線材が交差する部位に直径０．５〜１ｍｍの半球状の蛇登攀妨害突起が設けられており、前記ネット取付具、前記勾配形成板、及び前記ネットの取り付け位置は、地表面から１８０ｃｍの範囲であることを特徴とする請求項１記載の蛇登攀防止装置。
【発明の詳細な説明】
【技術分野】
【０００１】
本発明は、電柱と地中との間に斜めに張設される支線等の線状体に取り付けられて蛇が登攀することを防止するために有用な蛇登攀防止装置に関する。
【背景技術】
【０００２】
蛇が電柱の上部の巣中にある卵や雛等を狙って支線を介して電柱によじ登り、その際に送電線や配電線に接触すると、地絡事故が発生して電力設備や電力供給先などに膨大な損害を与える恐れがある。このため、蛇の支線への登攀を防止する装置の開発が要請されており、従来においては、様々な蛇登攀防止装置が検討されている。
【０００３】
例えば、下記する特許文献１においては、電柱と地中との間に斜めに張設される支線の所要の高さ位置に、蛇害防止用粘着テープを周回状に取着し、さらに該蛇害防止用粘着テープより上方に碗形状に形成した登はん防止具を取り付け、蛇等が支線から電柱に登攀することを防止する構成が開示されている。
【０００４】
また、下記する特許文献２においては、蛇が滑りやすい平滑な平板をひねって形成されたひねり板を、電柱支線等の線状体に回転可能な取付片を介して取り付け、蛇の線状体への昇り防止効果を高めるようにした構成が開示されている。
【先行技術文献】
【特許文献】
【０００５】
【特許文献１】特開平５−２３１０４３号公報
【特許文献２】特開２００８−２８３８００号公報
【発明の概要】
【発明が解決しようとする課題】
【０００６】
しかしながら、前者の構成においては、蛇害防止用粘着テープを支線などの線状体の回りに粘着させるものであるので、長時間の風雨に晒されると剥離する不都合があり、一旦剥離すると再利用できないものであった。
【０００７】
しかも、登はん防止具は碗形状に形成されているので、その構造上、台風等の突風等の影響を受けやすく、破損する恐れがあり、破損した場合にはその破片が飛散して通行人に当たり、怪我させる恐れが懸念される。
【０００８】
また、後者の構成においては、平滑な平板で構成されたひねり板を回転可能に取り付けるものであるが、長時間の風雨や太陽光等にさらされるため、滑りやすい面の長期間に亘る維持が難しく、また、発錆や異物の付着等により回転しなくなる不都合が懸念される。
【０００９】
本発明は係る事情に鑑みてなされたものであり、粘着物や可動機構に頼ることなく着脱可能な静止構造のみで線状体への蛇の登攀を効果的に防止することができる蛇登攀防止装置を提供することを主たる課題としている。
【課題を解決するための手段】
【００１０】
ところで、蛇は、一般的に、図７の別表に示されるような登攀運動をすることが知られている。
すなわち、蛇は、
（１）  柱状立設体の中心軸が重力方向に対して前方へある程度傾いていれば、昇柱することが可能である。逆に、後方へある程度傾いていれば（蛇の背が下側にくるように傾いていれば）、昇柱することができない。
（２）  電柱の上下で隣り合う昇降金具が斜めにずれて取り付けられている場合には、下側の昇降金具に身体を引っ掛けて固定し、斜め上方の昇降金具へ頭部を伸ばし、この上方の昇降金具に頭部が到達すれば、その昇降金具に頭部側の身体を引っ掛け固定し、下方側の身体を引き上げ、以後、当該運動を繰り返して電柱を登攀していく。
（３）  電柱の上下で隣り合う昇降金具が鉛直線上に取り付けられている場合には、下側の昇降金具に身体を引っ掛けて固定し、真上の昇降金具に頭部を伸ばす。この際、蛇は、蛇行しながら腹鱗（腹板）を電柱表面の微細な凹凸部に引っ掛け、折れ曲がっている身体を徐々に伸ばしていき、頭部が、次の昇降金具に到達すれば、その昇降金具に身体を引っ掛けて固定し、下方側の身体を引き上げ、以後、当該運動を繰り返して電柱を登攀していく。
（４）  壁面に存在する多数の突起に，蛇の体表を覆っている多数の腹鱗（腹板）を引掛け，それを支えとして登っていく。尚、直径が０．０５〜１［ｍｍ］程度の微細な球形状のものには腹鱗（腹板）を係合させることができない。
（５）  長い胴体をＳ字型に湾曲させ，壁面の突起物の間に体を突張らせて体を支えることにより登る。
（６）  腹部の中央を窪ませて吸盤状とすることにより体を支えて登る。
【００１１】
本発明者は、このような蛇の登攀習性を把握した上で、物理的な静止構造のみで蛇の線状体への登攀を効果的に防止できる防止装置について鋭意研究を重ねた結果、蛇の登攀を防止するためには、図７の別表で示す（１）に対する対策と、（４）又は（６）のいずれかに対する対策とを併せ持つようにすれば、線状体に対して非常に優れた登攀防止が図れるとの知見を見出し、本発明を完成させるに至った。尚、本件は支線に対する蛇の登攀を防止する装置に関するものであるため、図７の別表で示す（２），（３），（５）について考慮する必要はない。
【００１２】
すなわち、本発明に係る蛇登攀防止装置は、線状体に取り付けられて、蛇の登攀を防止する蛇登攀防止装置であって、前記線状体に着脱可能に固定されるネット取付具と、このネット取付具と離して前記線状体に着脱可能に固定され、前記線状体から上方へ立ち上がると共に垂線が水平に対して下方に傾斜する側面を備える勾配形成板と、前記ネット取付具と前記勾配形成板とに固定されてこれらの間の線状体を覆うように架設されるネットとを有して構成され、前記ネットは、前記ネット取付具および前記勾配形成板に対して着脱自在に取り付けられると共に、該ネットを構成する線材の適所に蛇の登攀を妨害する蛇登攀妨害突起を備えていることを特徴としている。
【００１３】
したがって、勾配形成板には、線状体から上方へ立ち上がると共に垂線が水平に対して下方に傾斜する側面が設けられているので、前記図７の（１）に対する対策が講じられており、また、ネット取付具と勾配形成板との間には、蛇の登攀を妨害する蛇登攀妨害突起を備えたネットが添設されているので、前記図７の（４）に対する対策が講じられている。このため、それぞれの物理的な静止構造による登攀防止機能により蛇の登攀が防止され、仮に、一方の登攀防止機能が不十分であっても、他方の登攀防止機能によって蛇の登攀を防止することが可能となる。
また、ネット取付具や勾配形成板は、線状体に対して着脱可能に取り付けられ、また、ネットもネット取付具および勾配形成板に対して着脱自在に取り付けられるので、これらネット取付具、勾配形成板、及びネットの再利用が可能となる。
【００１４】
ここで、ネット取付具、及び、勾配形成板の線状体への取り付け部分には、線状体の表面形状にあわせた嵌合溝が形成されることが望ましい。このような構成を採用することで、ネット取付具や勾配形成板の線状体への取り付け作業が容易となり、また、線状体に対してネット取付具や勾配形成板を回転させることなくしっかり固定することが可能となる。
また、前記勾配形成板には、風圧を軽減させる通孔を形成しておくとよい。勾配形成板が大きくなると、風圧の影響を受けやすくなり、勾配形成板の固定状態の劣化が懸念されるが、勾配形成板に通孔を形成しておくことで、風圧による影響を低減でき、耐久性を高めることが可能となる。
【００１５】
さらに、前記ネットは、前記線状体の表面に密着させないように前記ネット取付具と前記勾配形成板との間に架設させるとよい。ネットを線状体に密着させても蛇登攀妨害突起が線材の適所に設けられているので、十分な効果を見込めるが、ネットを線状体に密着させないように架設した場合には、ネット表面を不安定な状態とし、蛇の登攀体勢を阻害したり、腹部の吸盤効果を低減させることが可能となるので、蛇の登攀をより確実に阻止することが可能となる。
【００１６】
尚、前記ネットは、その線材の太さを０．５〜１ｍｍとし、メッシュの大きさを３ｍｍ程度とし、線材が交差する部位に直径０．５〜１ｍｍの半球状の蛇登攀妨害突起を設けることが有用であり、さらに、柱状立設体へのネット取付具、勾配形成板、及びネットの取り付け位置は、地表面から１８０ｃｍの範囲にするとよい。
【発明の効果】
【００１７】
以上述べたように、本発明に係る蛇登攀防止装置によれば、線状体に着脱可能に固定されたネット取付具と、このネット取付具と離して線状体に着脱可能に固定され、線状体から上方へ立ち上がると共に垂線が水平に対して下方に傾斜する側面を備える勾配形成板と、ネット取付具と勾配形成板とに固定されてこれらの間の線状体を覆うように架設されるネットとを有して構成し、ネットを、ネット取付具および勾配形成板に対して着脱自在に取り付け、ネットを構成する線材の適所に蛇の登攀を妨害する蛇登攀妨害突起を設けたので、物理的な静止構造のみで複数の登攀防止機能を持たせることができ、蛇の線状体への登攀を効果的に防止することが可能となる。
しかも、蛇登攀防止装置を構成するネット取付具および勾配形成板は線状体に対して着脱可能に取り付けられ、また、ネットは、これらネット取付具や勾配形成板に対して着脱自在に取り付けられるので、蛇登攀防止装置を構成する各部材の再利用が可能となる。
【００１８】
また、ネット取付具と勾配形成板の線状体への取付部分に、線状体の表面形状にあわせた嵌合溝を形成すれば、ネット取付具や勾配形成板の線状体への取り付け作業が容易となり、また、線状体に対してネット取付具や勾配形成板の回転を防止でき、強固な固定状態を得ることが可能となる。
【００１９】
さらに、勾配形成板に風圧を軽減させる通孔を形成することにより、風圧の影響を受けにくくすることができ、勾配形成板の固定状態の劣化を抑えて、耐久性を高めることが可能となる。
【００２０】
さらにまた、ネットを線状体の表面に密着させないようにネット取付具と勾配形成板との間に架設するようにすれば、蛇の登攀体勢を阻害でき、また、腹部の吸盤効果を低減させることができるので、蛇の登攀をより確実に阻止することが可能となる。
【図面の簡単な説明】
【００２１】
【図１】図１は、本発明に係る蛇登攀防止装置を電線の支線に取り付けた例を示す図である。
【図２】図２は、本発明に係る蛇登攀防止装置の全体構成を示す斜視図であり、（ａ）はネットをネット取付具と勾配形成板に取り付けた状態を示す図であり、（ｂ）はネット取付具と勾配形成板とを支線に固定し、ネットを取り付ける前の状態を示す図である。
【図３】図３は、ネット取付具を示す図であり、（ａ）はその側面図、（ｂ）は支線の軸方向から見た図、（ｃ）はその平面図である。
【図４】図４は、支線を示す斜視図である。
【図５】図５は、勾配形成板を示す図であり、（ａ）はその側面図、（ｂ）は支線の軸方向から見た図、（ｃ）はその平面図である。
【図６】図６は、ネットの示す図であり、（ａ）はその全体構成を示す図、（ｂ）はネットの一部拡大図、（ｃ）はネットの他の構成例を示す一部拡大図である。
【図７】図７は、蛇の登攀運動を示す表である。
【発明を実施するための形態】
【００２２】
以下、本発明に係る蛇登攀防止装置の実施形態を添付図面を参照しながら説明する。この例では、線状体として、送電線や配電線の電柱と地中との間に斜めに張設される支線を用いた場合を示し、蛇としては、体長２ｍ、立ち上がる能力を体長の３／４（１．５ｍ）とした場合を想定する。
【００２３】
図１及び図２において、蛇登攀防止装置１は、電柱２の支線３に固定されたネット取付具４と、このネット取付具４と離して支線に固定された勾配形成板５と、これらネット取付具４と勾配形成板５との間に支線３を覆うように架設されたネット６とを有して構成されている。
【００２４】
ネット取付具４は、硬質の合成樹脂などによって構成され、図３にも示されるように、支線３に沿って延設された取付本体７をステンレスバンド８で支線３に着脱可能に固定させるもので、取付本体７には、支線３と接触させる底面に支線３の表面形状にあわせた嵌合溝７ａが形成されている。一般に、支線は、図４に示されるように、直径２ｍｍの亜鉛メッキ鋼線を用いて、中心に１本、その回りに６本配設して撚った直径６ｍｍのより線によって構成され、したがって、嵌合溝７ａは、このより線の表面形状に合わせて凹凸が形成されると共に螺旋状に形成され、ネット取付具４は、支線３の径（６ｍｍ）より大きい厚みに形成されている。
【００２５】
また、ネット取付具４の取付本体７の上部は、断面弧状に形成され、この上部に軸方向の前後の２箇所で周方向に延びる凹部７ｂ、７ｃが形成されている。即ち、ステンレスバンド８のみを嵌め入れる程度の深さに形成された第１の凹部７ｂと、後述するネット６を構成する線材６ａを嵌め入れると共に、その上からステンレスバンド８を嵌め入れる程度の深さに形成された第２の凹部７ｃとが軸方向に所定の間隔をあけて形成されている。
【００２６】
勾配形成板５は、硬質の合成樹脂などによって構成され、図５にも示されるように、支線３に沿って延設された支線固定部１０と、この支線固定部１０に立設された板状部材１１とから構成されている。この板状部材１１は、支線固定部１０と別体または一体に固定され、別体とする場合には、接着剤等で永続的に支線固定部１０に固定されるようにしても、交換可能に着脱可能としてもよい。
【００２７】
板状部材１１は、支線固定部１０の略中央から略垂直に立ち上がる立設面１１ａと、支線固定部１０の軸方向に該支線固定部１０の略半分の長さで接合している底部とを備えた直角三角形状に形成されているもので、この例では、立設面１１ａの高さを約３０ｃｍとし、中央には、風圧を低減するための断面円形状の通孔１２が形成されている。
【００２８】
支線固定部１０は、ステンレスバンド１３で支線３に着脱可能に固定されているもので、支線３と接触する底面には、ネット取付具４と同様、支線３の表面形状にあわせた嵌合溝１０ａが形成されている。また、支線固定部１０の上部は、断面弧状に形成され、この上部の板状部材１１が取り付けられていない部分には、軸方向の前後の２箇所で周方向に延びる凹部１０ｂ，１０ｃが形成され、上部の板状部材１１が取り付けられている部分には、周方向に延設されて板状部材１１の底部との間にバンド挿通孔が形成された凹部１０ｄが軸方向に所定の間隔をあけて２つ形成されている。
【００２９】
この例では、支線固定部１０の板状部材１１が取り付けられていない部分においては、板状部材１１から遠い部位に、ステンレスバンドのみを嵌め入れる程度の深さに形成された第１の凹部１０ｂが形成され、また、板状部材１１の近い部位に、後述するネット６を構成する線材６ａを嵌め入れると共にその上からステンレスバンド１３を嵌め入れる程度の深さに形成された第２の凹部１０ｃが形成されている。また、支線固定部１０の板状部材１１が取り付けられている部分においては、ステンレスバンド１３のみを挿入して嵌め入れる程度の深さに形成された２つの第３の凹部１０ｄが形成されている。
したがって、支線固定部１０に形成された４ヶ所の凹部（第１の凹部１０ｂ、第２の凹部１０ｃ、第３の凹部１０ｄ）に取り付けられるステンレスバンド１３によって勾配形成板５が支線３に着脱可能に固定され、また、第２の凹部１０ｃに取り付けられるステンレスバンド１３によってネット６が勾配形成板５に着脱自在に取り付けられるようになっている。
【００３０】
通常の電柱２の支線３においては、水平面に対する傾斜角が４５°〜６０°程度に傾斜しており、したがって、勾配形成板５を板状部材１１を上側にして上方へ立設するように支線３に取り付けると、板状部材１１の立設面１１ａは、その垂線が水平に対して下方に傾斜する側面を形成するようになっている。
【００３１】
ネット６は、所用径を有すると共に所定の強度および耐候性を有する線材、例えば、テグスまたはナイロン等の樹脂によって構成されており、線材６ａ同士を交差させて、例えば矩形の網目が形成されている。このネット６は、作業員の電柱への昇降時において、作業員が靴をかけても破損しない程度の強度に形成されており、この例においては、ネット取付具４のほぼ全体と、勾配形成板５の板状部材１１が取り付けられていない支線固定部１０の部分とを覆うと共に、これらネット取付具４と勾配形成板５との間の支線３を覆うように取り付けられるもので、図６（ａ）に示されるように、支線３に密着しないように支線の周囲をゆったりと包み込むことができる程度の幅を有する矩形状に形成されており、四隅にはネット６をネット取付具４と勾配形成板５とに仮留めするための紐１５が設けられ、また、長手方向の側縁の適所には、支線３を包み込むように筒状に丸めた際に、その状態を保持するためのマジックテープ（登録商標）１６が設けられている。
【００３２】
また、ネット６を構成する線材６ａの適所には、図６（ｂ）に示されるように、蛇の登攀を妨害する蛇登攀妨害突起１４が設けられている。この蛇登攀妨害突起１４は、ネットを構成する線材同士の各交差部に、例えば半球状の突起を形成することにより構成されており、接着剤等の樹脂を後付けすることにより、或いは線材の成形時に予め一体的に成形することなどにより形成されている。
【００３３】
この例では、ネット６の全長（長手方向の寸法）が１００〜１２０ｃｍ程度に形成され、マジックテープ（登録商標）１６が長手方向で所定の間隔をあけて２ヶ所に設けられており、ネット６の線材６ａの太さを０．５〜１ｍｍ、網目の大きさを３ｍｍ程度とし、蛇登攀妨害突起１４の直径を０．５〜１ｍｍの半球状に形成している。また、蛇登攀防止装置１の支線３への取り付け位置は、地表から約１．８ｍまでの範囲に取り付けられている。
【００３４】
以上の構成において、蛇登攀防止装置１を支線３に取り付けるには、まず、ネット取付具４と勾配形成板５とを、ネット６の長さを見越して支線３に対して所定の間隔を離して位置決めし、ステンレスバンド８，１３で固定する。
即ち、ネット取付具４においては、第１の凹部７ｂが第２の凹部７ｃより上側となるようにして、支線３の上方から嵌合溝７ａを支線３の側面に嵌め付け、その後、第１の凹部７ｂにステンレスバンド８を係止させて、その状態でステンレスバンド８を支線３に強く回し留める。
【００３５】
また、勾配形成板５においては、板状部材１１が上側となるようにして、支線３の上方から嵌合溝１０ａを支線３の側面に嵌め付け、その後、第１の凹部１０ｂにステンレスバンド１３を係止させて、その状態でステンレスバンド１３を支線３に強く回し留めると共に、第３の凹部１０ｄにステンレスバンド１３を挿入して取り付け、その状態でステンレスバンド１３を支線３に強く回し留める。
【００３６】
その後、ネット６をネット取付具４と勾配形成板５との間に架設する。具体的には、ネット６の長手方向を支線３の軸心に合わせて、ネット６を勾配形成板５の支線固定部１０からネット取付具４にかけて上方から被せ、紐１５をネット取付具４と勾配形成板５に巻き付けてネット６を仮留めし、勾配形成板５の支線固定部１０に形成された第２の凹部１０ｃに、ネット６の上端部又はその近傍の線材６ａを嵌め入れ、その上からステンレスバンド１３を嵌め付けて支線３に回し留め、このステンレスバンド１３で勾配形成板５を支線３に固定すると共に、ネット６を勾配形成板５の支線固定部１０に脱落しないように固定する。また、ネット取付具４に形成された第２の凹部７ｃに、ネット６の下端部又はその近傍の線材を嵌め入れ、その上からステンレスバンド８を嵌め付けて支線３に回し留め、このステンレスバンド８でネット取付具４を支線３に固定すると共に、ネット６をネット取付具４に脱落しないように固定する。
【００３７】
したがって、このように構成された蛇登攀防止装置１によれば、勾配形成板５の立設面１１ａがその垂線を水平に対して下方に傾斜するように設けられているので、図７の（１）に対する対策が講じられており、蛇の登攀を防止することが可能となる。また、ネット取付具４と勾配形成板５との間の支線３には、表面に蛇の登攀を妨害する蛇登攀妨害突起１４を備えたネット６が添設されているので、図７の（４）又は（６）に対する対策が講じられており、この点においても、蛇の登攀を防止することが可能となる。
【００３８】
しかも、ネット６は、支線３に密着して付設されるのではなく、内部に中空空間が形成されるように支線に対してゆったりと周囲を覆うように設けられているので、蛇の登攀体勢を阻害することができ、また、腹部の吸盤効果を低減させることが可能となり、蛇の登攀をより確実に阻止することが可能となる。
このため、それぞれの物理的な静止構造による登攀防止機能により蛇の登攀を防止することが可能となり、仮に、いずれかの登攀防止機能が不十分であっても、残りの登攀防止機能により蛇の登攀を防止することが可能となる。
【００３９】
さらに、ネット取付具４や勾配形成板５は電柱２の支線３に対してステンレスバンド８，１３で着脱自在に固定され、また、ネット６はネット取付具４および勾配形成板５に対してステンレスバンド８，１３で着脱自在に固定されているので、強固な固定状態を確保しつつ、除去したい場合には、ステンレスバンド８，１３を除去することで容易に除去することが可能となり、ネット取付具４や勾配形成板５、及びネット６は再利用が可能となる。また、可動機構を有しないので、故障の心配もなく、粘着物や可動機構に頼らない物理的な静止構造のみで蛇の登攀を防止できるので、耐久性に優れたものとなる。
【００４０】
尚、上述の構成においては、勾配形成板５（板状部材１１）を三角形状（直角三角形状）に形成した場合を示したが、垂線が水平面に対して下方に傾斜された面を有する形状であればよく、例えば、勾配形成板５の板状部材１１を矩形状等に形成してもよい。また、勾配形成板５に形成される通孔１２も上述した構成に限定されるものではなく、多角形状に形成したり、複数形成するようにしてもよい。
【００４１】
さらに、上記構成例においては、ネット６に設けられる蛇登攀妨害突起１４をネット６を構成する線材６ａ同士の交差部に設けた例を示したが、図６（ｃ）に示されるように、交差部に加えて隣接する交差部間に位置する線材６ａの中間部分にも蛇登攀妨害突起１４を設けるようにしてもよい。また、ネット６の網目を矩形状に形成した例を示したが、網目は三角形でもその他の多角形としてもよい。
【符号の説明】
【００４２】
１  蛇登攀防止装置
３  支線
４  ネット取付具
５  勾配形成板
６  ネット
７ａ，１０ａ  嵌合溝
１１ａ  立設面
１２  通孔
１４  蛇登攀妨害突起
【図１】
2011062083.tif 000003
【図２】
2011062083.tif 000004
【図３】
2011062083.tif 000005
【図４】
2011062083.tif 000006
【図５】
2011062083.tif 000007
【図６】
2011062083.tif 000008
【図７】
2011062083.tif 000009